(57)【要約】      （修正有）【課題】段ボールシートの切断面を、予め防水性テープで貼着したことにより、更に耐水性の向上をもたらした耐水性簡易段ボール箱を提供する。【解決手段】段ボール紙は、組み立てて段ボール箱を形成したとき底部となる真中の底面と、底面の四辺に、折れ線を介して隣設される側壁と、隣り合った側壁間に挟まれた四隅に、斜め方向の折れ線を介して、夫々上下左右対称に設けられる重合内片及び重合外片と、相対する2組の側壁のうち、少なくとも一方の側壁は、折れ線を介して延設されるフラップ片と、が形成され、段ボール箱を組み立てたとき、重合内片及び重合外片を、フラップ片が延設された側壁側に折込み、側壁側に折込まれた重合内片及び重合外片をフラップ片で覆うとともに、フラップ片が延設されない他方の側壁面を防水性テープで貼着した。【選択図】図１
0003139954.tif 000002
【実用新案登録請求の範囲】
【請求項１】
波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール箱を組み立てたとき外面に現われる段ボールシートの切断面を、予め防水性テープで貼着したことを特徴とする耐水性簡易段ボール箱。
【請求項２】
波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、前記段ボール紙は、組み立てて段ボール箱を形成したとき底部となる真中の底面と、前記底面の四辺に、折れ線を介して隣設される側壁と、隣り合った側壁間に挟まれた四隅に、斜め方向の折れ線を介して、夫々上下左右対称に設けられる重合内片及び重合外片と、相対する2組の側壁のうち、少なくとも一方の側壁は、折れ線を介して延設されるフラップ片と、が形成され、段ボール箱を組み立てたとき、前記重合内片及び重合外片を、フラップ片が延設された側壁側に折込み、側壁側に折込まれた重合内片及び重合外片をフラップ片で覆うとともに、フラップ片が延設されない他方の側壁面を防水性テープで貼着したことを特徴とする耐水性簡易段ボール箱。
【請求項３】
前記側壁側に折込まれた重合内片及び重合外片を前記フラップ片で覆うとき、前記重合内片、重合外片、フラップ片が反発して戻らないようにテープで粘着したことを特徴とする請求項２記載の耐水性簡易段ボール箱。
【請求項４】
前記側壁側に折込まれた重合内片及び重合外片を前記フラップ片で覆うとき、前記重合内片、重合外片、フラップ片が反発して戻らないようにテープで粘着しさらに前記フラップ片を止め具で固定したことを特徴とする請求項２記載の耐水性簡易段ボール箱。
【請求項５】
前記フラップ片を固定する止め具同士を連結する取っ手を設け、吊り下げ可能としたことを特徴とする請求項４記載の耐水性簡易段ボール箱。
【考案の詳細な説明】
【技術分野】
【０００１】
本考案は、バケツ、保冷ボックス、保温ボックス等の耐水性を必要とする容器に適する耐水性簡易段ボール箱に関する。
【背景技術】
【０００２】
段ボール箱は、周知のごとく、波形に加工した中芯の両面或いは片面に平らなライナーを張って補強した段ボールシートを素材とする箱であって、軽さと強度、構造に由来する衝撃吸収性、何度も折りたたんでは組み立てられる利便性などから、宅配便、引越し等の運送業等の分野で、幅広く利用されている。
【０００３】
このような段ボール箱は、商品の梱包、運搬等には適しているが、耐水性に弱いという欠点を有している。従って段ボールのライナー表面に撥水剤を塗布したり、合成樹脂フィルムを貼着しラミネート加工を施したライナーで段ボールシートを造り、耐水性を強化した段ボール箱が提案されている。ところが、ライナー表面に耐水性を持たせても、ライナーを切断した切断面から水が浸透して中芯とライナーが剥離する問題点があった。それを防ぐために、折り畳み重合部により切断面を覆い、切断面の露出をなくして耐水性の向上をもたらした強化段ボール箱が知られている（例えば、特許文献１参照）。
【０００４】
【特許文献１】登録実用新案第３０２５６６９号公報
【考案の開示】
【考案が解決しようとする課題】
【０００５】
しかしながら、特許文献１に記載の強化ダンボール箱は、折り畳み重合部により切断面を覆ったとしても、切断面の露出をなくしただけで、切断面への水の浸透を完全に防ぐことはできなかった。
【０００６】
本考案は、上記の問題点を解決するためになされたものであり、段ボールシートの切断面を、予め防水性テープで貼着したことにより、更に耐水性の向上をもたらした耐水性簡易段ボール箱を提供することを目的としたものである。
【課題を解決するための手段】
【０００７】
上記目的を達成するため、請求項１記載の耐水性簡易段ボール箱は、波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール箱を組み立てたとき外面に現われる段ボールシートの切断面を、予め防水性テープで貼着したことを特徴とするものである。
【０００８】
また、請求項２記載の耐水性簡易段ボール箱は、波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール紙は、組み立てて段ボール箱を形成したとき底部となる真中の底面と、底面の四辺に、折れ線を介して隣設される側壁と、隣り合った側壁間に挟まれた四隅に、斜め方向の折れ線を介して、夫々上下左右対称に設けられる重合内片及び重合外片と、相対する2組の側壁のうち、少なくとも一方の側壁は、折れ線を介して延設されるフラップ片と、が形成され、段ボール箱を組み立てたとき、重合内片及び重合外片を、フラップ片が延設された側壁側に折込み、側壁側に折込まれた重合内片及び重合外片をフラップ片で覆うとともに、フラップ片が延設されない他方の側壁面を防水性テープで貼着したことを特徴とするものである。
【０００９】
また、請求項３記載の耐水性簡易段ボール箱は、請求項２記載の耐水性簡易段ボール箱であって、側壁側に折込まれた重合内片及び重合外片をフラップ片で覆うとき、重合内片、重合外片、フラップ片が反発して戻らないようにテープで粘着したことを特徴とするものである。
【００１０】
また、請求項４記載の耐水性簡易段ボール箱は、請求項２記載の耐水性簡易段ボール箱であって、側壁側に折込まれた重合内片及び重合外片をフラップ片で覆うとき、重合内片、重合外片、フラップ片が反発して戻らないようにテープで粘着しさらにフラップ片を止め具で固定したことを特徴とするものである。
【００１１】
また、請求項５記載の耐水性簡易段ボール箱は、請求項４記載の耐水性簡易段ボール箱であって、フラップ片を固定する止め具同士を連結する取っ手を設け、吊り下げ可能としたことを特徴とするものである。
【考案の効果】
【００１２】
請求項１記載の耐水性簡易段ボール箱によれば、波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール箱を組み立てたとき外面に現われる段ボールシートの切断面を、予め防水性テープで貼着したので、切断面への水の浸透を完全に防ぐことができ、更に耐水性を向上することができる。
【００１３】
また請求項２記載の耐水性簡易段ボール箱によれば、波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール紙は、組み立てて段ボール箱を形成したとき底部となる真中の底面と、底面の四辺に、折れ線を介して隣設される側壁と、隣り合った側壁間に挟まれた四隅に、斜め方向の折れ線を介して、夫々上下左右対称に設けられる重合内片及び重合外片と、相対する2組の側壁のうち、少なくとも一方の側壁は、折れ線を介して延設されるフラップ片と、が形成され、段ボール箱を組み立てたとき、重合内片及び重合外片を、フラップ片が延設された側壁側に折込み、側壁側に折込まれた重合内片及び重合外片をフラップ片で覆うとともに、フラップ片が延設されない他方の側壁面を防水性テープで貼着したので、耐水性が向上した段ボール箱を簡易に組み立てることができる。
【００１４】
また請求項３記載の耐水性簡易段ボール箱によれば、側壁側に折込まれた重合内片及び重合外片をフラップ片で覆うとき、重合内片、重合外片、フラップ片が反発して戻らないようにテープで粘着したので、耐水性が向上した段ボール箱を簡易に組み立てることができる。
【００１５】
また、請求項４記載の耐水性簡易段ボール箱によれば、側壁側に折込まれた重合内片及び重合外片をフラップ片で覆うとき、重合内片、重合外片、フラップ片が反発して戻らないようにテープで粘着しさらにフラップ片を止め具で固定したので、耐水性が向上した段ボール箱を簡易に組み立てることができる。
【００１６】
また、請求項５記載の耐水性簡易段ボール箱によれば、フラップ片を固定する止め具同士を連結する取っ手を設け、吊り下げ可能としたので、水、氷等を入れても簡単に持ち運びすることができる。
【考案を実施するための最良の形態】
【００１７】
本考案の実施の形態を、添付図面に例示した本考案の実施形態例に基づいて以下に具体的に説明する。
【実施例】
【００１８】
先ず、本考案の実施形態例に係る耐水性簡易段ボール箱について、図１から図４を用いて説明する。図１は、本考案の実施形態例に係る耐水性簡易段ボール箱を展開した段ボール紙の展開図である。図２は、同上の段ボール紙から耐水性簡易段ボール箱を組み立てるため組み立て途中の状態を示す斜視図である。図３は、同上の組み立て途中の状態から耐水性簡易段ボール箱の組み立てが完了した状態を示す斜視図である。図４は、同上の組み立てが完了した耐水性簡易段ボール箱を吊り下げ可能とした状態を示す斜視図である。図５は、図４における止め具の他の実施例を示す概念図である。
【００１９】
図１は、本考案の実施形態例に係る耐水性簡易段ボール箱１を展開した段ボール紙１０の展開図である。段ボール紙１０は、波形に加工した中芯に耐水性を施したライナーを張って補強した段ボールシートを素材とし、組み立てて耐水性簡易段ボール箱１を形成したとき底部となる真中の底面２０の上下に、折れ線Ａを介して、対をなす側壁３１、３１が隣設され、底面２０の左右に、折れ線Ｂを介して、対をなす側壁３２、３２が隣設される。左右の側壁３２、３２は、更に折れ線Ｃ1、Ｃ2を介して、フラップ片４０、４０が延設される。
【００２０】
側壁３１と側壁３２で挟まれた四隅には、斜め方向の折れ線Ｄを介して、側壁３１側に重合内片５１、側壁３２側に重合外片５２が、夫々上下左右対称に設けられる。フラップ片４０、４０が延設されない側壁３１、３１の外面に現われる段ボールシートの切断面は、予め防水性テープ６０、６０で貼着されている。
【００２１】
また、図示されてはないが、フラップ片４０、４０が延設されない側壁３１、３１の外面に現われる段ボールシートの切断面だけでなく、段ボール箱を組み立てたとき外面に現われる段ボールシートの全ての切断面を、予め防水性テープで貼着するとなお好適である。
【００２２】
次に、図２から図４により、図１で示した段ボール紙１０から耐水性簡易段ボール箱１を組み立てる手順について説明する。図２において底面２０の左右両側に隣設された側壁３２、３２を折れ線Ｂで内側に折り畳み、更に上下両側に隣設された側壁３１、３１を折れ線Ａで内側に折り畳む。側壁３１と側壁３２で挟まれた重合内片５１、重合外片５２を折れ線Ｄで内側に折り畳み両者を合わせ、重合内片５１を内側にして側壁３１、３１側に折り込む。
【００２３】
折り込まれた重合内片５１、重合外片５２の上から折れ線Ｃ1、Ｃ2で山折りされたフラップ片４０、４０で覆い、段ボールシートの切断面をカバーすると、図３に示すように、耐水性簡易段ボール箱の組み立てが完了した状態となる。フラップ片４０、４０で覆われてない段ボールシートの切断面は防水性テープ６０、６０で貼着されているので、そこから水が浸透することはない。折れ線Ｃ1、Ｃ2は、側壁３１の両側から折り込まれた重合内片５１、重合外片５２の厚みを考慮した幅を持たせている。
【００２４】
なお、重合内片５１、重合外片５２、フラップ片４０が反発して戻らないようにするために、重合内片５１、重合外片５２を折り込んでからテープ７０で粘着すると一層好適である。それでもなお反発して戻るような場合は、図４に示すように、テープ７０で粘着しフラップ片４０で覆った上から止め具８０で固定するとなお一層好適である。
【００２５】
また、図４に示すように、止め具同士をひも９０のような取っ手で連結すると、取っ手を持って吊り下げることができるので、耐水性簡易段ボール箱１の中に水、氷等を入れても簡単に持ち運びすることができる。
【００２６】
また、耐水性簡易段ボール箱１の中に大容量の水、氷等を入れて持ち運びするときは、図５に示すような止め具８０で固定する。即ち、止め具８０は、上端８１が開き、先端８２が閉じた湾曲形状とされ、中央を支点８３として左右対称に設けられた止め具本体と、止め具本体に嵌合され止め具８０を固定する方向に付勢されたバネ８４とで構成されている。止め具本体の支点８３より下方に位置されているバネ８４の先端にひも９０を結び、内側から上方に通して取っ手とする。
【００２７】
この止め具８０を用いて耐水性簡易段ボール箱１のフラップ片４０を固定し、ひも９０を取っ手として吊り下げると、耐水性簡易段ボール箱１の重力により、ひも９０には矢印Ｆ1の方向に力が働く。ひも９０はバネ８４の先端に結ばれているので、バネ８４の先端は矢印Ｆ2の方向に力が働き、止め具本体の先端８２も矢印Ｆ3の方向に力が働き、フラップ片４０を固定する力が一層強くなる。従って大容量の水、氷等を入れても止め具８０が外れることはない。
【００２８】
以上、説明したように、本考案によれば、波形に加工した中芯に耐水性を施したライナーを張って補強した段ボールシートを素材として、予め組み立て用の折れ線が設けられた段ボール紙を、組み立て用の折れ線に沿って組み立てた段ボール箱であって、段ボール紙は、組み立てて段ボール箱を形成したとき底部となる真中の底面と、底面の四辺に、折れ線を介して隣設される側壁と、隣り合った側壁間に挟まれた四隅に、斜め方向の折れ線を介して、夫々上下左右対称に設けられる重合内片及び重合外片と、相対する2組の側壁のうち、少なくとも一方の側壁は、折れ線を介して延設されるフラップ片と、が形成され、段ボール箱を組み立てたとき、重合内片及び重合外片を、フラップ片が延設された側壁側に折込み、側壁側に折込まれた重合内片及び重合外片をフラップ片で覆うとともに、フラップ片が延設されない他方の側壁面を防水性テープで貼着したので、耐水性が向上した段ボール箱を簡易に組み立てることができる。
【００２９】
また、側壁側に折込まれた重合内片及び重合外片をフラップ片で覆うとき、重合内片、重合外片、フラップ片が反発して戻らないようにテープで粘着し、さらにフラップ片を止め具で固定したので、耐水性が向上した段ボール箱を簡易に組み立てることができる。
【００３０】
更にまた、フラップ片を固定する止め具同士を連結する取っ手を設け、吊り下げ可能としたので、水、氷等を入れても簡単に持ち運びすることができ、更に、大容量の水、氷等を入れても止め具が外れることはない。
【図面の簡単な説明】
【００３１】
【図１】本考案の実施形態例に係る耐水性簡易段ボール箱を展開した段ボール紙の展開図である。
【図２】同上の段ボール紙から耐水性簡易段ボール箱を組み立てるため組み立て途中の状態を示す斜視図である。
【図３】同上の組み立て途中の状態から耐水性簡易段ボール箱の組み立てが完了した状態を示す斜視図である。
【図４】同上の組み立てが完了した耐水性簡易段ボール箱を吊り下げ可能とした状態を示す斜視図である。
【図５】図４における止め具の他の実施例を示す概念図である。
【符号の説明】
【００３２】
１    耐水性簡易段ボール箱
１０  段ボール紙
２０  底面
３１、３１、３２、３２  対をなす側壁
４０  フラップ片
５１  重合内片
５２  重合外片
６０  防水性テープ
７０  テープ
８０  止め具
８１  止め具本体
８４  バネ
９０  取っ手としてのひも
Ａ、Ｂ、Ｃ1、Ｃ2、Ｄ  折れ線
【図１】
0003139954.tif 000003
【図２】
0003139954.tif 000004
【図３】
0003139954.tif 000005
【図４】
0003139954.tif 000006
【図５】
0003139954.tif 000007